(57)【要約】【課題】蓄電池モジュールを筐体内の所定の位置に安定的に保持する。【解決手段】位置決め部材２を有する蓄電池モジュール３と、蓄電池モジュール３を収納する開口部４１を有する筐体４と、を備え、筐体４には、収納された蓄電池モジュール３の位置決め部材２の動きを規制する規制部材５が設けられている。【選択図】図１Ａ
2017168356.tif 000002
【特許請求の範囲】
【請求項１】
位置決め部材を有する蓄電池モジュールと、
前記蓄電池モジュールを収納する開口部を有する筐体と、を備え、
前記筐体には、収納された前記蓄電池モジュールの前記位置決め部材の動きを規制する規制部材が設けられていることを特徴とする蓄電装置。
【請求項２】
請求項１に記載の蓄電装置であって、
前記規制部材は、前記筐体の前記開口部周辺に設けられた水切り部の裏面側に取り付け固定されていることを特徴とする蓄電装置。
【請求項３】
請求項１または請求項２に記載の蓄電装置であって、
前記開口部を閉塞する蓋体を備え、
前記位置決め部材が前記蓋体によって押さえられる構造であることを特徴とする蓄電装置。
【請求項４】
請求項１から請求項３までのいずれか一つに記載の蓄電装置であって、
前記開口部に対向する前記筐体の内面には、前記蓄電池モジュールの前記位置決め部材の取り付け部位とは反対側の部位を両側から保持するガイド部材が設けられていることを特徴とする蓄電装置。
【請求項５】
請求項１から請求項４までのいずれか一つに記載の蓄電装置であって、
前記位置決め部材と前記規制部材とは、前記筐体への前記蓄電池モジュールの収納方向が正規の方向でない場合には、前記規制部材によって前記位置決め部材の動きが規制できない構造とされていることを特徴とする蓄電装置。
【請求項６】
請求項１から請求項５までのいずれか一つに記載の蓄電装置であって、
前記位置決め部材及び前記規制部材は、前記筐体の前記開口部寄りに設けられていることを特徴とする蓄電装置。
【請求項７】
請求項１から請求項６までのいずれか一つに記載の蓄電装置であって、
前記位置決め部材には、前記開口部を塞ぐように配置される絶縁保護カバーを固定する固定部を備えていることを特徴とする蓄電装置。
【請求項８】
請求項１から請求項７までのいずれか一つに記載の蓄電装置であって、
前記位置決め部材は、上片、側片、下片からなる断面コ字状に屈曲形成された把手部と、前記把手部の前記下片の縁部から下方に屈曲して延設された支持部と、前記支持部の下端部から横方向に膨出させた前記蓄電池モジュールの側面に取り付けるプレート部とからなり、
前記プレート部には、膨出部分の上辺部に前記蓄電池モジュールの上面に添設する補助プレート部が形成され、前記補助プレート部に前記蓄電池モジュールの前記上面に形成された被係止部に係止する係止部が形成されていることを特徴とする蓄電装置。
【請求項９】
請求項１から請求項７までのいずれか一つに記載の蓄電装置であって、
前記位置決め部材は、上片、側片、下片からなる断面コ字状に屈曲形成された把手部を備えており、
前記把手部の前記下片の端部がＲ面に形成されていることを特徴とする蓄電装置。
【請求項１０】
請求項１から請求項９までのいずれか一つに記載の蓄電装置であって、
前記規制部材は、前記位置決め部材を両側から規制する第１規制部材及び第２規制部材からなることを特徴とする蓄電装置。
【請求項１１】
請求項１から請求項１０までのいずれか一つに記載の蓄電装置であって、
前記位置決め部材と前記規制部材とが締結部材によって締結されていることを特徴とする蓄電装置。
【請求項１２】
請求項１から請求項７までのいずれか一つに記載の蓄電装置であって、
前記位置決め部材は、長尺状の板金から打ち抜き加工によって形成されており、上片、側片、下片からなる断面コ字状に屈曲形成された把手部と、前記把手部の前記下片の縁部から下方に屈曲して延設された支持部と、前記支持部の下端部から横方向に膨出させた前記蓄電池モジュールの側面に取り付けるプレート部とからなり、前記プレート部の膨出方向と、前記上片、側片、下片を展開したときの前記側片及び前記上片の展開方向とが同じ方向であることを特徴とする蓄電装置。
【発明の詳細な説明】
【技術分野】
【０００１】
本発明は、蓄電池モジュールが開口部を有する筐体内に収容された蓄電装置に関する。
【背景技術】
【０００２】
近年、災害時などに発生する停電や屋外の商用電源を得ることができない場所での電子電気機器の使用を可能とするものとして蓄電装置が注目されている。
【０００３】
蓄電装置は、複数の蓄電池モジュールが開口部を有する筐体内に列状に並べられて収容され、電気的に直列または並列に接続されることで、例えば太陽光発電で得られる電力を蓄電したり、商用電力系統から供給される電力を蓄電することが可能となっている（例えば、特許文献１参照）。
【０００４】
また、特許文献２には、複数の蓄電モジュール（蓄電池モジュール）が一体的に並列接続されている蓄電装置が開示されている。
【０００５】
この蓄電装置は、第１蓄電モジュールと第２蓄電モジュールが並設されて構成され、第１蓄電モジュールの正極端子と第２蓄電モジュールの正極端子とを第１バスバーで接続し、第１蓄電モジュールの負極端子と第２蓄電モジュールの負極端子とを第２バスバーで接続し、第１バスバー及び第２バスバーに固定部材を取り付けて、第１バスバーと第２バスバーとの相対的な位置関係を固定する構成となっている。しかし、特許文献２に記載の蓄電装置では、固定部材は第１バスバーと第２バスバーとに取り付けられており、電力系統を構成する部材であるため、この固定部材を筐体に直接固定して蓄電モジュールの位置固定に利用することはできない。
【０００６】
一方、特許文献３には、所定間隔をおいて配置された一対の支持部材と、これらの支持部材同士の間に配置された電池モジュール（蓄電池モジュール）と、支持部材同士を橋渡しして電池モジュールを支持するスタックメンバと、を備えた組電池が開示されている。
【０００７】
従って、上記特許文献１に記載の蓄電装置に上記特許文献３に記載の組電池の構造を適用すれば、複数の蓄電池モジュールを筐体内で相対的な位置関係を保って収納することが可能である。
【０００８】
しかし、蓄電池モジュールと筐体との位置関係、すなわち蓄電池モジュールを筐体内の所定の位置に保持する構造については、上記特許文献１〜３には何も記載されていない。
【０００９】
一方、特許文献４には、組電池内に収容した電池を寸法変化の少ない上下方向で圧迫することにより、これらの電池を確実に固定することができる組電池が開示されている。
【００１０】
特許文献４に記載の組電池は、複数の電池が底板と周囲を囲む側板とを備えた組電池ケース内に収納された組電池であって、前記組電池ケースの上端開口部に取り付け固定された電池押圧部材によって前記複数の電池の上端を下方に押圧することで複数の電池が組電池ケース内に固定された構造となっている。
【先行技術文献】
【特許文献】
【００１１】
【特許文献１】特開２０１４−１９７５１４号公報
【特許文献２】特開２０１６−１２３９１号公報
【特許文献３】特許第５４１３４５７号公報
【特許文献４】特許第４８２６７０５号公報
【発明の概要】
【発明が解決しようとする課題】
【００１２】
すなわち、特許文献４に記載の組電池は、組電池ケースの上端開口部に、複数の電池の全体を跨ぐようにして電池押圧部材を配置し、電池押圧部材の両端部を組電池ケースに直接固定することで、複数の電池の上端を電池押圧部材によって一体的に押さえる構造となっている。
【００１３】
しかし、特許文献４に記載の組電池は、電気自動車に搭載されることを前提としており、例えば太陽光発電の蓄電装置として屋外に設置することについては考慮されていない。そのため、特許文献４に記載の組電池では、電池押圧部材が邪魔になって組電池ケースの上端開口部を蓋体で閉塞することができないといった問題があった。
【００１４】
本発明はかかる問題点を解決すべく創案されたもので、その目的は、筐体の開口部を蓋体で閉塞する場合でも、個々の蓄電池モジュールを筐体内の所定の位置に安定的に収納することのできる蓄電装置を提供することにある。
【課題を解決するための手段】
【００１５】
上記課題を解決するため、本発明の蓄電装置は、位置決め部材を有する蓄電池モジュールと、前記蓄電池モジュールを収納する開口部を有する筐体と、を備え、前記筐体には、収納された前記蓄電池モジュールの前記位置決め部材の動きを規制する規制部材が設けられていることを特徴としている。
【００１６】
また、本発明の蓄電装置によれば、前記規制部材は、前記筐体の前記開口部周辺に設けられた水切り部の裏面側に取り付け固定された構成としてもよい。
【００１７】
また、本発明の蓄電装置によれば、前記開口部を閉塞する蓋体を備え、前記位置決め部材が前記蓋体によって押さえられる構造としてもよい。
【００１８】
また、本発明の蓄電装置によれば、前記開口部に対向する前記筐体の内面には、前記蓄電池モジュールの前記位置決め部材の取り付け部位とは反対側の部位を両側から保持するガイド部材が設けられた構成としてもよい。
【００１９】
また、本発明の蓄電装置によれば、前記位置決め部材と前記規制部材とは、前記筐体への前記蓄電池モジュールの収納方向が正規の方向でない場合には、前記規制部材によって前記位置決め部材の動きが規制できない構造としてもよい。
【００２０】
また、本発明の蓄電装置によれば、前記位置決め部材及び前記規制部材は、前記筐体の前記開口部寄りに設けられた構成としてもよい。
【００２１】
また、本発明の蓄電装置によれば、前記位置決め部材には、前記開口部を塞ぐように配置される絶縁保護カバーを固定する固定部を備えた構成としてもよい。
【００２２】
また、本発明の蓄電装置によれば、前記位置決め部材は、上片、側片、下片からなる断面コ字状に屈曲形成された把手部と、前記把手部の前記下片の縁部から下方に屈曲して延設された支持部と、前記支持部の下端部から横方向に膨出させた前記蓄電池モジュールの側面に取り付けるプレート部とからなり、前記プレート部には、膨出部分の上辺部に前記蓄電池モジュールの上面に添設する補助プレート部が形成され、前記補助プレート部に前記蓄電池モジュールの前記上面に形成された被係止部に係止する係止部が形成された構成としてもよい。
【００２３】
また、本発明の蓄電装置によれば、前記位置決め部材は、上片、側片、下片からなる断面コ字状に屈曲形成された把手部を備えており、前記把手部の前記下片の端部がＲ面に形成された構成としてもよい。
【００２４】
また、本発明の蓄電装置によれば、前記規制部材は、前記位置決め部材を両側から規制する第１規制部材及び第２規制部材を備えた構成としてもよい。
【００２５】
また、本発明の蓄電装置によれば、前記位置決め部材と前記規制部材とが締結部材によって締結された構成としてもよい。
【００２６】
また、本発明の蓄電装置によれば、前記位置決め部材は、長尺状の板金から打ち抜き加工によって形成されており、上片、側片、下片からなる断面コ字状に屈曲形成された把手部と、前記把手部の前記下片の縁部から下方に屈曲して延設された支持部と、前記支持部の下端部から横方向に膨出させた前記蓄電池モジュールの側面に取り付けるプレート部とからなり、前記プレート部の膨出方向と、前記上片、側片、下片を展開したときの前記側片及び前記上片の展開方向とが同じ方向となるように構成してもよい。
【発明の効果】
【００２７】
本発明の蓄電装置によれば、蓄電池モジュールに取り付けられている位置決め部材を規制部材で動きを規制することで、蓄電池モジュールを筐体内の所定位置に安定的に収納することができる。
【図面の簡単な説明】
【００２８】
【図１Ａ】本発明の実施形態１に係る蓄電装置において蓋体を開いた状態を斜め上方から見た斜視図である。
【図１Ｂ】本発明の実施形態１に係る蓄電装置において蓋体を開いた状態を斜め上方から見た斜視図である。
【図２】図１ＡのＡ−Ａ線断面図である。
【図３】蓄電池モジュールの外観斜視図である。
【図４】位置決め部材を展開した状態を示す平面図である。
【図５Ａ】第１規制部材を斜め上方の位置から視点を変えて見た斜視図である。
【図５Ｂ】第１規制部材を斜め上方の位置から視点を変えて見た斜視図である。
【図５Ｃ】図５Ｂに示す第１規制部材を図中Ｃ方向から見た側面図である。
【図５Ｄ】第１規制部材の展開図である。
【図６Ａ】蓄電池モジュールが筐体内に正規の方向で収納されることによって、位置決め部材の支持片が、第１規制部材の嵌合溝部内に正しく嵌まり合った状態を示す斜視図である。
【図６Ｂ】蓄電池モジュールが筐体内に正規の方向で収納されることによって、位置決め部材の支持片が、第１規制部材の嵌合溝部内に正しく嵌まり合った状態を示す説明図である。
【図６Ｃ】蓄電池モジュールが筐体内に前後及び左右逆向きに収納されることによって、位置決め部材の支持片が、第１規制部材の嵌合溝部内に嵌まり合わない状態を示す説明図である。
【図６Ｄ】蓄電池モジュールが筐体内に前後及び左右逆向きに収納されることによって、位置決め部材の支持片が、第１規制部材の嵌合溝部内に嵌まり合わない状態を示す説明図である。
【図７】第２規制部材を斜め上方の位置から見た斜視図である。
【図８】第２規制部材と位置決め部材との締結構造を一部拡大して示す斜視図である。
【図９】実施形態２に係る蓄電装置において、蓋体を開いた状態を斜め上方から見た斜視図である。
【発明を実施するための形態】
【００２９】
以下、本発明の実施の形態について、図面を参照して説明する。
【００３０】
＜実施形態１＞
図１Ａ及び図１Ｂは、本発明の実施形態１に係る蓄電装置において蓋体を開いた状態を斜め上方から見た斜視図、図２は図１ＡのＡ−Ａ線断面図である。ここで、以下の明細書では、図１において矢符Ｘ方向を左右方向（若しくは横方向）、矢符Ｙ方向を前後方向、矢符Ｚ方向を上下方向（若しくは縦方向）と定義する。
【００３１】
実施形態１に係る蓄電装置１は、位置決め部材２を有する蓄電池モジュール３と、蓄電池モジュール３を収納する開口部４１を有する筐体４と、筐体４内において蓄電池モジュール３の位置決め部材２の動きを規制する規制部材５（５ａ，５ｂ）と、開口部４１に対向する筐体４の底面４ａに設けられた蓄電池モジュール３の底面部分を保持するガイド部材６と、蓄電池モジュール３を制御するコントローラ７と、開口部４１を閉塞する蓋体８とを主要部品として構成されている。
【００３２】
実施形態１に係る蓄電装置１では、４台の蓄電池モジュール３を縦置き状態で筐体４内に前後方向に並べて収納している場合を例示している。ただし、収納する台数は４台に限定されるものではなく、２台、６台等でもよく、また１台だけであってもよい。
【００３３】
この例では、前後方向Ｙの前側（図１Ａ中右手前側）の２台の蓄電池モジュール３，３同士、及び、前後方向Ｙの後側（図１Ａ中左奥側）の２台の蓄電池モジュール３，３同士をそれぞれ並列接続し、この並列接続した前後２組の蓄電池モジュール組同士を直列接続した構成としている。
【００３４】
以下、蓄電装置１の各構成部品について順次説明する。
【００３５】
（筐体４及び蓋体８の説明）
図１Ａ，図１Ｂ及び図２に示すように、筐体４は、上部が開放された箱体形状に形成されており、その上端開口部に内側に向かって延設された額縁状の水切り部４２が形成されている。また、水切り部４２の内周端部から上方に突出し、かつその突出先端部を外側方向に屈曲させた断面逆Ｌ字状の嵌合突部４３が、水切り部４２の内周端部の全周に渡って形成されている。すなわち、この嵌合突部４３の内周部が筐体４の開口部４１となっている。また、水切り部４２には、その４隅の各角部に雌ねじ孔４４ａを有する円筒状の突起部４４が設けられている。この突起部４４の上端部は、図２に示すように、嵌合突部４３の上面とほぼ同じ高さとなっている。
【００３６】
一方、蓋体８は、筐体４の水切り部４２の外周形状にほぼ合致する形状の天板部８１を備えており、天板部８１の全周には、水切り部４２の外周縁部に向かって蓋枠部８２が形成されている。また、天板部８１には、その４隅の各角部にねじ挿通孔８３が設けられている。さらに、天板部８１の下面には、筐体４の嵌合突部４３の上面に対峙するようにして、ゴム状（ＥＰＤＭ等）の止水部材８５が設けられている。
【００３７】
上記構成において、蓋体８を筐体４の上端開口部に嵌め合せて、蓋枠部８２を水切り部４２に向かうとともに、天板部８１の止水部材８５を嵌合突部４３の上面に当接させ、この状態で蓋体８のねじ挿通孔８３を介して突起部４４の雌ねじ孔４４ａにねじ部材（ワッシャ付きのねじ部材（以下、同じ））２８をねじ込むことにより、蓋体８が筐体４の上端開口部を閉塞して締結固定される。このとき、止水部材８５は、嵌合突部４３の上面と天板部８１の下面との間に押しつぶされた状態で介在し、天板部８１の下面が、収納された蓄電池モジュール３の位置決め部材２の上面（後述する把手部２１の上片２２）と突起部４４の上面とに当接するようになっている。すなわち、位置決め部材２が蓋体８によって上から押さえられる構造となっている。これにより、上下方向Ｚに何らかの力（衝撃や地震等による力）が働いたとしても、蓄電池モジュール３の上下方向Ｚの移動が規制され、蓄電池モジュール３を筐体４内において安定的に収納することができる。
【００３８】
（蓄電池モジュール３及び位置決め部材２の説明）
図３は、蓄電池モジュール３の外観斜視図、図４は、位置決め部材２を展開した状態を示す平面図である。
【００３９】
この蓄電池モジュール３は、縦長の直方体形状に形成された蓄電池本体部３１を備えている。蓄電池本体部３１の上面３２には、プラス電極端子部３３及びマイナス電極端子部３４等を含む各種接続端子部や、組み立て後に各端子部と内部蓄電池とを接続するためのショートバー３６を差し込む差込み口３５等が設けられている。
【００４０】
また、位置決め部材２は、蓄電池本体部３１の上面３２を左右方向Ｘに跨ぐように配置されている。
【００４１】
位置決め部材２は、図４に示すように長尺状の板金等から打ち抜き加工によって形成されている。すなわち、展開状態の位置決め部材２は、上片２２、側片２３及び下片２４がそれぞれ折り曲げ線２ａ，２ｂを介して連接されており、下片２４の両縁部から折り曲げ線２ｃを介して支持片（支持部）２５が延設され、支持片２５の延設端部２５ａから横方向に膨出させた状態のプレート片（プレート部）２６が延設されている。また、プレート片２６の膨出部分の上辺部には、折り曲げ線２ｄを介して補助プレート片２７が延設されている。そして、プレート片２６の膨出方向（図４では右方向）と、上片２２、側片２３及び下片２４を展開したときの側片２３及び上片２２の展開方向とが同じ方向となるように形成されている。また、プレート片２６の膨出方向の幅と、展開したときの上片２２、側片２３及び下片２４全体の幅とがほぼ同じ幅となるように形成されている。ただし、図４では、プレート部２６の膨出方向の幅に比べて、展開したときの上片２２、側片２３及び下片２４全体の幅の方が少し狭くなっている。
【００４２】
この構成によれば、折り曲げ加工前の位置決め部材２の打ち抜き製造時に、廃棄する部分を低減できるので、その分、製造コストも低減することができる。因みに、図４では、斜線を付している部分が廃棄する部分である。
【００４３】
上片２２には、長手方向の両端部にそれぞれねじ挿通孔２２ａが形成され、中央部には雌ねじ孔２２ｂが形成されている。また、支持片２５は、一方の側縁部（この例では、プレート片２６の膨出方向と同じ側の側縁部）に膨出片２５ｂが設けられている。この膨出片２５ｂは、蓄電池モジュール３を筐体４に収納するときの方向を規制（すなわち、逆方向の収納を禁止）する規制片である。
【００４４】
上記したように、４台の蓄電池モジュール３は、前側の２台の蓄電池モジュール３，３同士、及び、後側の２台の蓄電池モジュール３，３同士をそれぞれ並列接続し、この並列接続した前後２組の蓄電池モジュール組同士を直列接続している。この場合、配線接続の関係上、前側の２台の蓄電池モジュール３，３と、後側の２台の蓄電池モジュール３，３とは、筐体４内で互いに背中合せになるように、すなわち前後方向及び左右方向が逆向きになるように収納される。そして、この収納方向を間違うと、その後の配線ミスに繋がるため、規制片（膨出片）２５ｂによって逆方向に収納されることを規制するようにしている。この規制片２５ｂは、後述する第１規制部材５ａとの兼ね合いで逆方向の収納を規制するのであるが、この点については第１規制部材５ａの説明のところで詳しく説明する。
【００４５】
また、支持片２５には、電力線や通信線等に用いられる複数の配線を束にしたハーネスを固定するための固定用孔２５ｃが設けられている。
【００４６】
プレート片２６は、蓄電池本体部３１の側面に取り付けるためのものであり、蓄電池本体部３１の側面に設けられた２つの雌ねじ孔（図示省略）に対向するように２つのねじ挿通孔２６ａ，２６ａが形成されている。また、蓄電池本体部３１の上面３２側に折り曲げて添設される補助プレート片２７には、蓄電池本体部３１の上面３２に設けられた被係止部である係止孔部（図示省略）に対向するように係止爪部（係止部）２７ａが形成されている。
【００４７】
このような打ち抜き加工後の位置決め部材２を折り曲げ線２ａ〜２ｄで順次折り曲げることにより、図３に示す形状の位置決め部材２を作製する。すなわち、上片２２、側片２３、下片２４をそれぞれ折り曲げ線２ａ，２ｂで折り曲げて断面コ字状の把手部２１を形成し、把手部２１の下片２４の両縁部の折り曲げ線２ｃで支持片２５及びプレート片２６をそれぞれ下方に屈曲させ、最後に補助プレート片２７を折り曲げ線２ｄで内側（互いに対向する側）に折り曲げることにより、図３に示す形状の位置決め部材２が作製される。
【００４８】
そして、このように折り曲げ形成された位置決め部材２を、蓄電池本体部３１の上面３２を跨ぐようにして左右方向Ｘに配置する。すなわち、各プレート片２６を蓄電池本体部３１の左右方向Ｘの各側面にそれぞれ添設するとともに、各補助プレート片２７を蓄電池本体部３１の上面３２に添設する。そして、補助プレート片２７から切り起こした係止爪部２７ａを蓄電池本体部３１の上面３２に形成された係止孔部（図示省略）に差し込んで係止した後、各プレート片２６のねじ挿通孔２６ａ，２６ａから蓄電池本体部３１の側面に形成された雌ねじ孔（図示省略）に対してねじ部材２８をねじ込んで固定する。これにより、位置決め部材２が蓄電池本体部３１に強固に取り付け固定される。
【００４９】
この場合、蓄電池本体部３１に対する位置決め部材２の配置方向が逆（すなわち、平面視で１８０度回転した逆方向）になった場合には、補助プレート片２７の係止爪部２７ａを蓄電池本体部３１の上面３２に形成された係止孔部（図示省略）に差し込んで係止することはできるが、各プレート片２６のねじ挿通孔２６ａ，２６ａが蓄電池本体部３１の側面に形成された雌ねじ孔（図示省略）に一致しないため、ねじ固定することができないようになっている。すなわち、蓄電池本体部３１に対する位置決め部材２の取り付け方向が一義的に決まるようになっている。これにより、例えば施工現場で作業者が蓄電池本体部３１に位置決め部材２を取り付ける作業を行う場合の取り付けミスを無くすことができる。
【００５０】
また、位置決め部材２を蓄電池本体部３１に取り付けた状態において、位置決め部材２の把手部２１の下片２４と蓄電池本体部３１の上面３２との間には十分な隙間が確保されている。このように十分な隙間を設ける理由は２つあり、一つ目の理由は、位置決め部材２が蓄電池モジュール３を持ち上げるときの取っ手を兼ねているため、把手部２１を持ったとき、蓄電池本体部３１の上面３２に手や指等が当たらないように、すなわちスムーズに位置決め部材２が持てるようにするためである。また、二つ目の理由は、把手部２１の下片２４と蓄電池本体部３１の上面３２との間に十分な隙間がない場合には、蓄電池本体部３１の上面３２で配線作業を行う場合に位置決め部材２が邪魔になるため、配線作業の妨げとならないように、十分な隙間が確保されている。
【００５１】
（規制部材５の説明）
規制部材５は、蓄電池モジュール３の位置決め部材２を両側でその動きを規制する第１規制部材５ａ及び第２規制部材５ｂからなる。
【００５２】
（第１規制部材５ａの説明）
図５Ａ及び図５Ｂは、第１規制部材５ａを斜め上方の位置から視点を変えて見た斜視図、図５Ｃは、図５Ｂに示す第１規制部材５ａを図中Ｃ方向から見た側面図、図５Ｄは、第１規制部材５ａの展開図である。
【００５３】
第１規制部材５ａは、図１及び図２に示すように、筐体４の開口部４１の左側の縁部に沿って取り付け固定されるものである。
【００５４】
第１規制部材５ａは、図５Ｄに示すように長尺状の板金等から打ち抜き加工された基板を、適宜折り曲げ線で折り曲げることによって形成されている。すなわち、打ち抜いた直後の展開状態の第１規制部材５ａは、筐体４の開口部４１の左側の縁部に固定される長尺状の基体部５１と、この基体部５１の長手方向（前後方向Ｙ）に沿った一方の側部に設けられた嵌合部５２とを備えており、嵌合部５２には、長手方向（前後方向Ｙ）に沿って所定の間隔を存して４箇所に、左右方向Ｘに沿って長い長穴の嵌合溝部５３が形成されている。
【００５５】
そして、嵌合部５２を第１折り曲げ線３ａ及び第２折り曲げ線３ｂに沿ってそれぞれ折り曲げることにより、図５Ａ乃至図５Ｃに示すように、上片部５２ａ、側片部５２ｂ及び下片部５２ｃからなる断面コ字状に形成されている。また、この折り曲げによって嵌合溝部５３も断面コ字状に屈曲され、上片部５２ａ側、側片部５２ｂ側及び下片部５２ｃ側の三方に開口した溝部となっている。
【００５６】
また、下片部５２ｃ側の嵌合溝部５３には、対向する一方の縁部５３ａ（または５３ｂ）から反対側の縁部５３ｂ（または５３ａ）に向かって延設された邪魔板部５４が形成されている。この邪魔板部５４は、前側の２つの嵌合溝部５３に形成される邪魔板部５４と、後側の２つの嵌合溝部５３に形成される邪魔板部５４の形成方向が反対向きとなっている。すなわち、実施形態１では、前側の２つ（図５Ｃでは左側の２つ）の嵌合溝部５３，５３に形成される邪魔板部５４は、後側の縁部５３ｂから前側の縁部５３ａに向かって延設されており、後側の２つ（図５Ｃでは右側の２つ）の嵌合溝部５３，５３に形成される邪魔板部５４は、前側の縁部５３ａから後側の縁部５３ｂに向かって延設されている。
【００５７】
そして、この邪魔板部５４の先端縁部と、これに対向する嵌合溝部５３の縁部５３ａまたは５３ｂとの間の幅Ｗ１１は、位置決め部材２の支持片２５の幅Ｗ２１（図４参照）より若干幅広に形成されており、嵌合溝部５３の対向する縁部５３ａ，５３ｂ間の幅Ｗ１２は、位置決め部材２の支持片２５及び規制片２５ｂの幅Ｗ２２（図４参照）より若干幅広に形成されている。また、隣接する嵌合溝部５３の間隔Ｗ１３は、４つの蓄電池モジュール３を筐体４の所定の位置に収納したときの、隣接する位置決め部材２の間隔Ｗ１（図１Ａ及び図１Ｂ参照）と等しい間隔に設定されている。
【００５８】
このような構成の第１規制部材５ａは、図２に示すように、基体部５１が筐体４の左側の水切り部４２ａの下面にスポット溶接等によって固定されている。
【００５９】
上記したように、実施形態１に係る蓄電装置１では、前側の２台の蓄電池モジュール３，３は同方向に収納され、後側の２台の蓄電池モジュール３，３も同方向に収納される一方、前側の２台の蓄電池モジュール３，３と、後側の２台の蓄電池モジュール３，３とは、筐体４内で互いに背中合せになるように（すなわち、前後方向及び左右方向が逆向きになるように）収納される。そして、これらの収納方向を間違うと、その後の配線ミスに繋がるため、第１規制部材５ａの邪魔板部５４と位置決め部材２の規制片２５ｂとによって、蓄電池モジュール３が逆方向に収納されることを確実に防止（規制）するようにしている。
【００６０】
ここで、第１規制部材５ａの邪魔板部５４と位置決め部材２の規制片２５ｂとによって、蓄電池モジュール３が逆方向に収納されることを確実に防止できる理由について説明する。図６Ａは、蓄電池モジュールが筐体内に正規の方向で収納されることによって、位置決め部材の支持片が、第１規制部材の嵌合溝部内に正しく嵌まり合った状態を示す斜視図である。また、図６Ｂは、蓄電池モジュール３が筐体４内に正規の方向で収納されることによって、位置決め部材２の支持片２５が、第１規制部材５ａの嵌合溝部５３内に正しく嵌まり合った状態を示しており、図６Ｃ及び図６Ｄは、蓄電池モジュール３が筐体４内に前後及び左右逆向きに収納されることによって、位置決め部材２の支持片２５が、第１規制部材５ａの嵌合溝部５３内に嵌まり合わない状態を示している。
【００６１】
すなわち、蓄電池モジュール３が筐体４内に正規の方向で収納された場合には、図６Ａ及び図６Ｂに示すように、位置決め部材２の支持片２５が、嵌合溝部５３の一方の縁部５３ａと邪魔板部５４の先端部との間に嵌まり込み、支持片２５の規制片２５ｂは、邪魔板部５４の上部に形成された空間部に嵌まり込んで、嵌合溝部５３への支持片２５の嵌合を阻止（規制）しない。すなわち、第１規制部材５ａの嵌合溝部５３によって位置決め部材２の支持片２５の前後方向Ｙの動きを規制できる。
【００６２】
一方、蓄電池モジュール３が筐体４内に逆向きの方向で収納された場合、図６Ｃに示すように、位置決め部材２の支持片２５を左側に寄せて、嵌合溝部５３の一方の縁部５３ａと邪魔板部５４の先端部との間に嵌まり込むようにした場合には、規制片２５ｂが嵌合溝部５３の縁部５３ａに連続する側片部５２ｂに当接（図中、当接部分を斜線を付して示す）して、支持片２５を嵌合溝部５３内に嵌め込むことがでない。一方、図６Ｄに示すように、位置決め部材２の支持片２５を右側に寄せて、規制片２５ｂが嵌合溝部５３の縁部５３ａに連続する側片部５２ｂに当接しないようにした場合には、支持片２５が邪魔板部５４に当接（図中、当接部分を斜線を付して示す）して、支持片２５を嵌合溝部５３内に嵌め込むことがでない。すなわち、蓄電池モジュール３が筐体４内に逆向きの方向で収納された場合には、支持片２５を嵌合溝部５３のどの位置に合せたとしても、規制片２５ｂまたは邪魔板部５４またはその両方によって支持片２５の嵌合が阻止されるようになっている。すなわち、筐体４への蓄電池モジュール３の収納方向が正規の方向でない場合には、第１規制部材５ａの嵌合溝部５３に位置決め部材２の支持片２５を嵌合できない構造とされている。
【００６３】
（第２規制部材５ｂの説明）
図７は、第２規制部材５ｂを斜め上方の位置から見た斜視図である。また、図８は、第２規制部材５ｂと位置決め部材２との締結構造を一部拡大して示す斜視図である。
【００６４】
第２規制部材５ｂは、蓄電池モジュール３の位置決め部材２を他方の側（第１規制部材５ａとは反対の側）から規制する長尺状の板体であり、上片５７ａ、側片５７ｂ及び下片５７ｃからなる断面コ字状に形成されている。実施形態１では、この第２規制部材５ｂも、第１規制部材５ａと同様、長尺状の板金等から打ち抜き加工された基板を、適宜折り曲げ線で折り曲げることによって形成されている。また、側片５７ｂ及び下片５７ｃの一部が長手方向（前後方向Ｙ）に沿う４箇所においてそれぞれ切り起こされており、この切り起こした部分が上片５７ａから左方向に突出する係止片５８となっている。この係止片５８には、雌ねじ孔５８ａが形成されている。
【００６５】
また、隣接する係止片５８の間隔Ｗ３１は、４つの蓄電池モジュール３を筐体４の所定の位置に収納したときの、隣接する位置決め部材２の間隔Ｗ１（図１Ａ及び図１Ｂ参照）と等しい間隔に設定されている。
【００６６】
従って、図８に示すように、この第２規制部材５ｂを、筐体４に収納された４つの蓄電池モジュール３の位置決め部材２の他方の端部（第１規制部材５ａとは反対側の端部）に側片５７ｂ部分を対向させて配置し、係止片５８を位置決め部材２の上片２２の下側に差し込むと、上片２２のねじ挿通孔２２ｃと係止片５８の雌ねじ孔５８ａとの位置が一致するように構成されている。従って、この状態で上片２２のねじ挿通孔２２ｃを介して係止片５８の雌ねじ孔５８ａにねじ部材２８をねじ込むことにより、第２規制部材５ｂが４台の蓄電池モジュール３の全ての位置決め部材２の他方の端部に一体的に締結固定されるようになっている。
【００６７】
この場合、第２規制部材５ｂの前後方向Ｙの長さは、筐体４の開口部４１の前後方向Ｙの長さとほぼ一致するように（若しくは若干短くなる程度に）形成されている。従って、筐体４に前後方向Ｙから何らかの力（衝撃や地震等による力）が働いたとしても、第２規制部材５ｂの両端部が筐体４の開口部４１の両端部に当接して、蓄電池モジュール３の前後方向Ｙの移動を規制するようになっている。
【００６８】
（ガイド部材６の説明）
図２に示すように、ガイド部材６は、筐体４の底面（内面）４ａに設けられており、前後方向Ｙに沿って平行に延びる一対のガイドレール部６ａ，６ｂで構成されている。この一対のガイドレール部６ａ，６ｂは、筐体４の底面４ａに溶接またはねじ止め等によって固定される固定片６１と、固定片６１の一方の縁部から垂直に立ち上がる起立片６２と、起立片６２の先端部から互いの方向に向かって下方に傾斜する傾斜片６３と、傾斜片６３の下端部から下方に垂下した保持片６４とで構成されている。また、保持片６４，６４の間の幅は、蓄電池本体部３１の左右方向Ｘの幅とほぼ同じ幅に設定されている。
【００６９】
ガイドレール部６ａ，６ｂの対向面を傾斜片６３，６３とすることで、蓄電池本体部３１を筐体４の上方から開口部４１を通って収納したとき、蓄電池本体部３１の底面側が若干左右方向Ｘにずれて収納されたとしても、蓄電池本体部３１の底面角部が傾斜片６３に当たって案内され、保持片６４，６４間の底面４ａまで案内されて保持されるので、蓄電池本体部３１の底面側の部位を筐体４内の正しい位置に収納、保持することができる。また、この構成によれば、蓄電池モジュール３の上部側が位置決め部材２と規制部材５（第１規制部材５ａと第２規制部材５ｂ）とによって動きが規制され、蓄電池モジュール３の下部側がガイド部材６（ガイドレール部６ａ，６ｂ）によって保持されるので、筐体４内において蓄電池モジュール３を安定的に保持することができる。
【００７０】
（コントローラ７の説明）
コントローラ７は、図１Ｂ及び図２に示すように、収納された４台の蓄電池モジュール３の右側（すなわち、第２規制部材５ｂが取り付けられた側）と筐体４の右側の側面との間に収納されている。
【００７１】
コントローラ７は、薄型の直方体形状に形成された外装ケース７１を備えており、外装ケース７１の長手方向（前後方向Ｙ）に対応する２箇所には、逆Ｌ字状に形成されたねじ挿通孔７２ａを有する支持金具７２が取り付けられている。
【００７２】
一方、筐体４の水切り部４２には、この支持金具７２に対応する位置に固定金具４５が開口部４１に突出して設けられている。この固定金具４５は、スポット溶接等によって水切り部４２の裏面側に取り付け固定されている。また、固定金具４５には、外装ケース７１の支持金具７２に形成されたねじ挿通孔７２ａに対向する位置に雌ねじ孔４５ａが形成されている。従って、コントローラ７を筐体４内に収納し、外装ケース７１の支持金具７２を筐体４の固定金具４５上に添設し、支持金具７２のねじ挿通孔７２ａを介して固定金具４５の雌ねじ孔４５ａにねじ部材２８をねじ込むことにより、コントローラ７を筐体４内に支持固定している。
【００７３】
実施形態１に係る蓄電装置１によれば、位置決め部材２及び規制部材５（第１規制部材５ａ及び第２規制部材５ｂ）は、筐体４の開口部４１寄りに設けられた構成としている。この構成によれば、筐体４内での蓄電池モジュール３の保持（取り付け）作業を開口部４１の近傍で行うことができるので、保持作業の作業性が向上する。
【００７４】
また、実施形態１に係る蓄電装置１によれば、第１規制部材５ａや、コントローラ７を固定する固定金具４５は、水切り部４２の裏面側にスポット溶接等によって取り付け固定されている。この水切り部４２は、蓋体８の蓋枠部８２によって被覆され、外部からは視認できない構造となっている。そのため、溶接等による凹みが筐体４の外観に現れることはなく、意匠性にも優れている。
【００７５】
また、実施形態１に係る蓄電装置１によれば、位置決め部材２の一方（左側）の端部は、位置決め部材２の支持片２５が、第１規制部材５ａの嵌合溝部５３内に嵌合される構造であり、固定されていないが、位置決め部材２と第１規制部材５ａとをねじ部材等の締結部材によって締結する構造としてもよい。この構成によれば、位置決め部材２の両端部を第１規制部材５ａと第２規制部材５ｂの両方で締結固定することになり、蓄電池モジュール３を筐体４内により強固に（安定的に）保持することができる。
【００７６】
また、実施形態１に係る蓄電装置１によれば、位置決め部材２の支持片２５には、電力線や通信線等に用いられる複数の配線を束にしたハーネスを固定するための固定用孔２５ｃが設けられている。図示は省略しているが、ハーネスは、樹脂等で形成されたリング状の保持部と、この保持部から横方向に突出した固定用突起部とからなるハーネス保持部で保持された状態で、固定用突起部を支持片２５の固定用孔２５ｃに差し込むことで、ハーネスの配線位置を固定できるようになっている。これにより、ハーネスの配線が別の端子に接触するといった事態を防止したり、電圧の違う線が接触しないように離して配置することができる。ただし、ハーネスの固定位置や固定方法は一例であり、これらに限定されるものではなく、必要な箇所に必要な固定手段を設けてハーネスの位置固定を行えばよい。
【００７７】
また、実施形態１に係る蓄電装置１によれば、位置決め部材２は打ち抜き加工によって形成されている。そのため、図４に示すように、把手部２１の下片２４の端部２４ａは切断面となっている。従って、この端部２４ａに面取りを施してＲ面等とすることで、図示しない配線等が接触しても傷つかないため、蓄電池モジュール３の短絡を防止することができる。また、把手部２１である下片２４の端部２４ａにＲ面等を形成しておくことで、作業者が手で持ったときの怪我等も防止することができる。この場合、下片２４の端部２４ａに僅かな幅の折り返し片を同時に形成し、この折り返し片を端部２４ａから折り返しておくことで、端部２４ａをＲ面等としてもよい。
【００７８】
また、実施形態１に係る蓄電装置１によれば、位置決め部材２の補助プレート片２７に係止爪部２７ａを形成し、これに対向する蓄電池本体部３１の上面３２に係止孔部を形成して係止する構造としているが、この部分もプレート部２６の取り付け構造と同様にねじ部材によるねじ固定としてもよい。すなわち、補助プレート片２７にねじ挿通孔を形成し、対向する蓄電池本体部３１の上面３２に雌ねじ孔を形成して、ねじ部材によりねじ固定する構造としてもよい。
【００７９】
＜実施形態２＞
図９は、実施形態２に係る蓄電装置１において、蓋体８を開いた状態を斜め上方から見た斜視図である。
【００８０】
実施形態１では、筐体４に収納された蓄電池モジュール３の位置決め部材２を、蓋体８の天板部８１で直接押さえる構造としているが、実施形態２では、筐体４に収納された蓄電池モジュール３の位置決め部材２と蓋体８の天板部８１との間に透明な絶縁シート９を介在させた構成としている。
【００８１】
この絶縁シート９は、蓄電池モジュール３の上部の少なくとも一部を被覆できる大きさに形成されている。この絶縁シート９は、図示は省略しているが筐体４に収納された４台の蓄電池モジュール３の配線を終了した後に配置される。また、各蓄電池モジュール３は、配線終了後に、各端子部と内部蓄電池とを接続するためのショートバー３６を上面３２の差込み口３５（図３参照）に差し込むようになっている。そのため、絶縁シート９には、差込み口３５に対向する位置に、ショートバー３６を差し込むための開口部９ａが形成されている。
【００８２】
この絶縁シート９は、各蓄電池モジュール３の位置決め部材２上に載置した状態で、各位置決め部材２の上片２２の中央部に形成された雌ねじ孔２２ｂに対してねじ部材２８をねじ込むことにより、位置決め部材２に固定されている。
【００８３】
この構成によれば、筐体４に収納された蓄電池モジュール３の位置決め部材２を、絶縁シート９を介して蓋体８の天板部８１で押さえる構造となる。そのため、絶縁シート９が弾性部材となって、天板部８１により位置決め部材２の上片２２を確実に押さえる（下方に付勢する）ことができる。
【００８４】
また、このような絶縁シート９が無い場合（実施形態１の場合）でも、例えば位置決め部材２を亜鉛メッキ鋼板等の部材で形成すると、断面コ字状に形成された把手部２１の上片２２自体が多少の弾性を有することから、実施形態１の場合でも、上片２２自体の弾性力によって、天板部８１により位置決め部材２の上片２２を十分に押さえることができる。
【００８５】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【産業上の利用可能性】
【００８６】
本発明は、位置決め部材を有する蓄電池モジュールと、蓄電池モジュールを収納する開口部を有する筐体とを備えた蓄電装置に適用した場合を例示しているが、筐体に収納される収納部材は蓄電池モジュールに限るものではなく、方向を揃えて並列的に収納、保持する必要のある収納部材を収納する装置全般に適用可能である。
【符号の説明】
【００８７】
１  蓄電装置
２  位置決め部材
２１  把手部
２２  上片
２２ａ  ねじ挿通孔
２３  側片
２４  下片
２５  支持片
２５ａ  延設端部
２５ｂ  膨出片（規制片）
２５ｃ  固定用孔
２６  プレート片（プレート部）
２６ａ  ねじ挿通孔
２７  補助プレート片（補助プレート部）
２７ａ  係止爪部（係止部）
３  蓄電池モジュール
３１  蓄電池本体部
３２  上面
３５  差込み口
３６  ショートバー
４  筐体
４ａ  底面
４１  開口部
４２  水切り部
４３  嵌合突部
４５  固定金具
４５ａ  雌ねじ孔
５  規制部材
５ａ  第１規制部材
５ｂ  第２規制部材
５１  基体部
５２  嵌合部
５３  嵌合溝部
５４  邪魔板部
５７ａ  上片
５７ｂ  側片
５７ｃ  下片
５８  係止片
５８ａ  雌ねじ孔
６  ガイド部材
６ａ，６ｂ  ガイドレール部
６１  固定片
６２  起立片
６３  傾斜片
６４  保持片
７  コントローラ
７１  外装ケース
７２  支持金具
７２ａ  ねじ挿通孔
８  蓋体
８１  天板部
８２  蓋枠部
８３  ねじ挿通孔
９  絶縁シート
９ａ  開口部
【図１Ａ】
2017168356.tif 000003
【図１Ｂ】
2017168356.tif 000004
【図２】
2017168356.tif 000005
【図３】
2017168356.tif 000006
【図４】
2017168356.tif 000007
【図５Ａ】
2017168356.tif 000008
【図５Ｂ】
2017168356.tif 000009
【図５Ｃ】
2017168356.tif 000010
【図５Ｄ】
2017168356.tif 000011
【図６Ａ】
2017168356.tif 000012
【図６Ｂ】
2017168356.tif 000013
【図６Ｃ】
2017168356.tif 000014
【図６Ｄ】
2017168356.tif 000015
【図７】
2017168356.tif 000016
【図８】
2017168356.tif 000017
【図９】
2017168356.tif 000018